(57)【要約】【課題】盲目操作でのスムーズ且つ確実なスイッチ操作と誤操作防止とを図ることが可能なスイッチを提供する。【解決手段】表シート２２と、第一凸部２３と、スペーサシート２４と、ＦＰＣ２５と、ベースプレート２６と、複数の接着層２７と、を備えてスイッチの一例であるポリドームスイッチ２１を構成する。また、第一凸部２３を、表シート２２の突出部（押圧部）２８の頂部（センター位置）を中心にして表示したシンボル表示３０の表示形状に合わせて適宜高さを有するように突出形成する。【選択図】　　図１
2004039266.tif 000002
【特許請求の範囲】
【請求項１】
表シートの押圧部のセンター位置を中心にして表示されたシンボル表示の表示形状に合わせて第一凸部を突出形成した
ことを特徴とするスイッチ。
【請求項２】
表シートの押圧部のセンター位置を中心にして表示されたシンボル表示を囲んで第二凸部を突出形成した
ことを特徴とするスイッチ。
【請求項３】
請求項２に記載のスイッチにおいて、
前記第二凸部の突出先端面に凹面又は凸面を形成した
ことを特徴とするスイッチ。
【発明の詳細な説明】
【０００１】
【発明の属する技術分野】
本発明は、表シートの押圧部に改良がなされたスイッチに関する。
【０００２】
【従来の技術】
図７及び図８において、ドームスイッチ（スイッチの一例）１は、表シート２とスペーサシート３と回路体４とを備えて構成されており、被取り付け部材としてのベースプレート５に貼り付け固定されている。表シート２には、ドーム状の突出部（押圧部）６が突出形成されており、その突出部６の内側頂部には、上極接点７が設けられている。スペーサシート３には、突出部６に対応する位置に貫通孔８が形成されており、反転した突出部６がその貫通孔８に挿し込まれるようになっている。回路体４には、図示しないスイッチ回路が適宜パターンで配索されており、そのスイッチ回路上且つ上記上極接点７に対応する位置には、下極接点９が設けられている。
【０００３】
ドームスイッチ１は、操作する者の指１０のスイッチ操作によって突出部６が矢線の如く下方に押圧され、反転した突出部６の上極接点７が回路体４の下極接点９に接触すると、図示しないスイッチ回路の導通が得られるようになっている。一方、操作する者の指１０が突出部６から離れると、それまで反転していた突出部６がもとの状態に戻り、図示しないスイッチ回路の導通が解除されるようになっている。
【０００４】
尚、引用符号１１は表シート２とスペーサシート３とを固定するための接着層を示している。また、引用符号１２はスペーサシート３と回路体４とを固定するための接着層を示している。さらに、引用符号１３はドームスイッチ１をベースプレート５に貼り付け固定するための接着層を示している。ドームスイッチ１は、硬質のベースプレート５の平坦な面上に貼り付け固定されている。
【０００５】
【発明が解決しようとする課題】
ところで、上記従来のドームスイッチ（スイッチ）１にあっては、例えば自動車の運転中などのように、目視せずにスイッチ操作を行わなければならない場合があり（以下、盲目操作とする）、次のような問題点を有している。すなわち、盲目操作では、突出部（押圧部）６のセンター位置を押圧することにより得られるスムーズ且つ確実なスイッチ操作が困難であるという問題点を有している。また、盲目操作では、誤操作を引き起こす恐れがあるという問題点を有している。
【０００６】
本発明は、上述した事情に鑑みてなされるもので、盲目操作でのスムーズ且つ確実なスイッチ操作と誤操作防止とを図ることが可能なスイッチを提供することを課題とする。
【０００７】
【課題を解決するための手段】
上記課題を解決するためなされた請求項１記載の本発明のスイッチは、表シートの押圧部のセンター位置を中心にして表示されたシンボル表示の表示形状に合わせて第一凸部を突出形成したことを特徴としている。
【０００８】
上記課題を解決するためなされた請求項２記載の本発明のスイッチは、表シートの押圧部のセンター位置を中心にして表示されたシンボル表示を囲んで第二凸部を突出形成したことを特徴としている。
【０００９】
請求項３記載の本発明のスイッチは、請求項２に記載のスイッチにおいて、前記第二凸部の突出先端面に凹面又は凸面を形成したことを特徴としている。
【００１０】
請求項１に記載された本発明によれば、表シートの押圧部のセンター位置を中心にして表示されたシンボル表示の表示形状に合わせて第一凸部が突出形成される。その第一凸部を触ることにより、盲目操作であっても押圧部のセンター位置の押圧が容易になる。また、どのスイッチを操作しようとしているのかが分かるようになる。
【００１１】
請求項２に記載された本発明によれば、表シートの押圧部のセンター位置を中心にして表示されたシンボル表示を囲んで第二凸部が突出形成される。その第二凸部を触ることにより、盲目操作であっても押圧部のセンター位置の押圧が容易になる。また、第二凸部の大きさや囲み方でどのスイッチを操作しようとしているのかが分かるようになる。
【００１２】
請求項３に記載された本発明によれば、第二凸部の突出先端面に凹面又は凸面が形成される。その凹面又は凸面により、盲目操作であっても押圧部のセンター位置の押圧がより一層容易になる。また、どのスイッチを操作しようとしているのかがより一層分かるようになる。
【００１３】
【発明の実施の形態】
以下、図面を参照して本発明の実施の形態を説明する。
図１は本発明のスイッチの一実施の形態を示す図であり、（ａ）は平面図、（ｂ）はＡ−Ａ線断面図である。
【００１４】
図１において、引用符号２１で示される本発明のポリドームスイッチ（特許請求の範囲に記載したスイッチに相当）は、表シート２２と、第一凸部２３と、スペーサシート２４と、ＦＰＣ２５と、ベースプレート２６と、複数の接着層２７とを備えて構成されている。また、ポリドームスイッチ２１は、盲目操作でのスムーズ且つ確実なスイッチ操作と誤操作防止とを図ることができるように形成されている。以下、上記構成部材について詳細に説明する。
【００１５】
上記表シート２２は、例えばポリエチレンテレフタレート（ＰＥＴ）又はポリエチレンナフタレート（ＰＥＮ）からなる合成樹脂製のシート部材であって、熱プレスを施すことにより形成された一又は複数の突出部２８（特許請求の範囲に記載した押圧部に相当）を有している。その突出部２８は、表シート２２の外面（表面）側に突出するとともに内面（裏面）側に反転可能なドーム形状に形成されている。突出部２８における上記内面（突出部内面）には、上記ＦＰＣ２５に対する可動側の上極接点２９が設けられている。その上極接点２９は、カーボン等からなり上記内面の頂部に例えば印刷によって設けられている。
【００１６】
このような表シート２２は、上記材質であることから元々透明であって、本形態においては、表シート２２の内面又は外面に背景色が印刷されている。また、突出部内面又は突出部外面には、上記背景色とは別の色の例えば図示のような三角形のシンボル表示３０が表示されている（本形態においては、印刷により表示される）。シンボル表示３０は、突出部２８の頂部（センター位置）を中心にして表示されている。
【００１７】
上記第一凸部２３は、例えばアクリル、ウレタン等の透明且つ柔軟性を有する樹脂材で形成されている。また、第一凸部２３は、シンボル表示３０の表示形状に合わせて適宜高さを有するように突出形成されている（本形態においては、平面視三角形状の立体物のように形成される）。このような第一凸部２３は、盲目操作でのスムーズ且つ確実なスイッチ操作と誤操作防止とを図るために形成されている。尚、第一凸部２３は、手触り感の向上（プラスチックキー感、滑り止め防止）や見た目の向上にも寄与するように形成されている。
【００１８】
上記スペーサシート２４は、例えばポリエチレンテレフタレート（ＰＥＴ）又はポリエチレンナフタレート（ＰＥＮ）からなる合成樹脂製のシート部材であって、表シート２２の変形防止と、突出部２８の反転の際の空気抜きと、突出部２８のストローク寸法確保とを実現するために設けられている。スペーサシート２４の表裏面には、既知の上記接着層２７がそれぞれ設けられており、表シート２２とＦＰＣ２５とを各々上記表裏面に固定することができるようになっている。
【００１９】
このようなスペーサシート２４は、突出部２８の位置に対応して形成される貫通孔３１と、図示しない空気逃がし部とを有している。貫通孔３１は、突出部２８の直径よりも大きな直径を有するように形成されている（突出部２８の直径と同じであってもよいものとする）。貫通孔３１には、反転した突出部２８が挿通されるようになっている。
【００２０】
上記ＦＰＣ２５（ＦＰＣ：フレキシブル・プリント・サーキット）は、回路体であって、所望のパターンに配索される図示しないスイッチ回路を有する回路体本体３２と、外部との電気的な接続に用いられる図示しない外部接続手段とを備えて構成されている。回路体本体３２のスペーサシート２４側には、上記上極接点２９が接触する固定側の下極接点３３が設けられている。図示しない外部接続手段は、回路体本体３２から引き出される結線回路部と、その結線回路部の先端部分に設けられる例えばエッジコネクタ端子とを備えて構成されている。尚、ＦＰＣ２５に替えて既知のプリント基板（ＰＣＢ）を用いてもよいものとする。
【００２１　】
上記ベースプレート２６は、例えば合成樹脂製の硬質の板部材であって、その表面には、接着層２７を介在させた状態でＦＰＣ２５が固定されるようになっている。尚、本形態においては、ベースプレート２６をポリドームスイッチ２１の構成に含ませているが、これを構成から外した場合には、ポリドームスイッチ２１に対する被取り付け部材がベースプレート２６に相当するものとする。
【００２２　】
上記構成において、ポリドームスイッチ２１は次のように組み立てられる。先ず、第一凸部２３を予め所定位置に配設した表シート２２をスペーサシート２４の表面に接着固定するとともに、ＦＰＣ２５をスペーサシート２４の裏面に接着固定し、これらをＦＰＣ２５側からベースプレート２６に接着固定することにより組み立てられる。そして、このように組み立てられたポリドームスイッチ２１は、次のように作用する（作用図面は省略する）。
【００２３　】
スイッチ操作前となる突出部２８に荷重が掛かっていない状態では、突出部２８自体の保形性によって、その形状が保持された状態にある。そして、スイッチ操作（盲目操作を含む）がなされ、スイッチ操作をする者の指３４により第一凸部２３及び突出部２８が矢線方向に押圧されると（下方向に荷重を掛ける押圧操作）、突出部２８が指３４の押圧による荷重に抗しながら、ある荷重を境にして座屈し反転する（この時、クリック感が生じる）。
【００２４　】
突出部２８が座屈、反転すると下方向の荷重が減少し、突出部２８の押圧がスムーズに進行する。反転した突出部２８は更に押し込まれてスペーサシート２４の貫通孔３１に挿通され、突出部２８に設けられた上極接点２９が貫通孔３１を介してＦＰＣ２５の下極接点３３に接触する。
【００２５　】
これにより、ＦＰＣ２５の図示しないスイッチ回路が導通状態となり、ポリドームスイッチ２１はＯＮされる。一方、指３４が離され下方向の荷重が解除されると、突出部２８はもとの状態に復帰する。そして、これに伴って導通状態が解除され、ポリドームスイッチ２１はＯＦＦされる。
【００２６　】
以上、ポリドームスイッチ２１は、シンボル表示３０の表示形状に合わせて形成された第一凸部２３を有することから、盲目操作であっても、突出部２８のセンター位置を容易に押圧することができる。また、どのスイッチを操作しようとしているのかを容易に理解することができる。従って、盲目操作でのスムーズ且つ確実なスイッチ操作と誤操作防止とを図ることができる。
【００２７　】
次に、図２を参照しながら上述のポリドームスイッチ２１の変形例を説明する。図２（ａ）は平面図、図２（ｂ）はＢ−Ｂ線断面図である。尚、上述の構成部材と基本的に同じ部材に関しては同一の符号を付してその詳細な説明を省略するものとする。
【００２８　】
図２において、ポリドームスイッチ２１′（特許請求の範囲に記載したスイッチに相当）は、表シート２２と、第一凸部２３′と、スペーサシート２４と、ＦＰＣ２５と、ベースプレート２６と、複数の接着層２７とを備えて構成されている。すなわち、ポリドームスイッチ２１′は、図示のように、上述のポリドームスイッチ２１（図１参照）に対してシンボル表示３０′及び第一凸部２３′のみが異なったスイッチとして形成されている。
【００２９　】
本形態において、シンボル表示３０′は、上記背景色とは別の色の数字の「１」（一例）であって、表シート２２の突出部内面又は突出部外面に表示されている。また、シンボル表示３０′は、突出部２８の頂部を中心にして表示されている。一方、第一凸部２３′は、例えばアクリル、ウレタン等の透明且つ柔軟性を有する樹脂材で形成されている。また、第一凸部２３′は、シンボル表示３０′の表示形状に合わせて適宜高さを有するように突出形成されている（平面視、数字の「１」となる立体物のように形成される）。尚、ポリドームスイッチ２１′の作用及び効果は、上述のポリドームスイッチ２１と同じになるのは言うまでもない。
【００３０　】
続いて、図３を参照しながら上述のポリドームスイッチ２１の他の変形例を説明する。図３（ａ）は平面図、図３（ｂ）はＣ−Ｃ線断面図である。尚、上述の構成部材と基本的に同じ部材に関しては同一の符号を付してその詳細な説明を省略するものとする。
【００３１　】
図３において、ポリドームスイッチ２１″（特許請求の範囲に記載したスイッチに相当）は、表シート２２と、第一凸部２３″と、スペーサシート２４と、ＦＰＣ２５と、ベースプレート２６と、複数の接着層２７とを備えて構成されている。すなわち、ポリドームスイッチ２１″は、図示のように、上述のポリドームスイッチ２１（図１参照）に対してシンボル表示３０″及び第一凸部２３″のみが異なったスイッチとして形成されている。
【００３２　】
本形態において、シンボル表示３０″は、上記背景色とは別の色の文字、「ＯＮ」（一例）であって、表シート２２の突出部内面又は突出部外面に表示されている。また、シンボル表示３０″は、突出部２８の頂部を中心にして表示されている。一方、第一凸部２３″は、例えばアクリル、ウレタン等の透明且つ柔軟性を有する樹脂材で形成されている。また、第一凸部２３″は、シンボル表示３０″の表示形状に合わせて適宜高さを有するように突出形成されている（平面視、文字の「ＯＮ」となる立体物のように形成される）。尚、ポリドームスイッチ２１″の作用及び効果は、上述のポリドームスイッチ２１と同じになるのは言うまでもない。
【００３３　】
続いて更に、図４及び図５を参照しながら本発明によるスイッチの他の一実施の形態を説明する。図４は他の一実施の形態を示す平面図、図５は図４のＤ−Ｄ線断面図（第一の例）である。
【００３４　】
図４及び図５において、引用符号４１で示される本発明のポリドームスイッチ（特許請求の範囲に記載したスイッチに相当）は、表シート４２と、第二凸部４３と、スペーサシート４４と、メンブレンシート４５と、第二スペーサシート４６と、ＦＰＣ４７と、ベースプレート４８と、複数の接着層４９とを備えて構成されている。また、ポリドームスイッチ４１は、盲目操作でのスムーズ且つ確実なスイッチ操作と誤操作防止とを図ることができるように形成されている。以下、上記構成部材について詳細に説明する。
【００３５　】
上記表シート４２は、例えばポリエチレンテレフタレート（ＰＥＴ）又はポリエチレンナフタレート（ＰＥＮ）からなる合成樹脂製のシート部材であって、熱プレスを施すことにより形成された一又は複数の突出部５０（特許請求の範囲に記載した押圧部に相当）を有している。その突出部５０は、表シート４２の外面（表面）側に突出するとともに内面（裏面）側に反転可能なドーム形状に形成されている。
【００３６　】
このような表シート４２は、上記材質であることから元々透明であって、本形態においては、表シート４２の内面又は外面に背景色が印刷されている。また、突出部内面又は突出部外面には、上記背景色とは別の色の例えば図示の文字、「ＯＮ」（一例）のようなシンボル表示５１が表示されている（本形態においては、印刷により表示される）。シンボル表示５１は、突出部５０の頂部（センター位置）を中心にして表示されている。
【００３７　】
上記第二凸部４３は、例えばアクリル、ウレタン等の透明且つ柔軟性を有する樹脂材で形成されている。また、第二凸部４３は、シンボル表示５１を囲み且つ適宜高さを有するように突出形成されている（本形態においては、丸形に囲まれた立体物のように形成される。丸形に限らず四角形等でもよい。尚、突出部５０の立ち上がり部分にかからないものとする）。このような第二凸部４３には、その突出先端面に凹面５２が形成されている（凹面５２の形成は任意であるものとする。凹面５２を形成することでセンター位置の押圧がより一層し易くなる）。第二凸部４３は、盲目操作でのスムーズ且つ確実なスイッチ操作と誤操作防止とを図るために形成されている。尚、第二凸部４３は、手触り感の向上（プラスチックキー感、滑り止め防止）や見た目の向上にも寄与するように形成されている。
【００３８　】
上記スペーサシート４４は、例えばポリエチレンテレフタレート（ＰＥＴ）又はポリエチレンナフタレート（ＰＥＮ）からなる合成樹脂製のシート部材であって、表シート４２の変形防止と、突出部５０の反転の際の空気抜きと、突出部５０のストローク寸法確保とを実現するために設けられている。スペーサシート４４の表裏面には、既知の上記接着層４９がそれぞれ設けられており、表シート４２とメンブレンシート４５とを各々上記表裏面に固定することができるようになっている。
【００３９　】
このようなスペーサシート４４は、突出部５０の位置に対応して形成される貫通孔５３と、図示しない空気逃がし部とを有している。貫通孔５３は、突出部５０の直径よりも大きな直径を有するように形成されている（突出部５０の直径と同じであってもよいものとする）。貫通孔５３には、反転した突出部５０が挿通されるようになっている。
【００４０　】
上記メンブレンシート４５は、例えばポリエチレンテレフタレート（ＰＥＴ）又はポリエチレンナフタレート（ＰＥＮ）からなる合成樹脂製の柔軟性を有する薄肉のシート部材であって、その裏面の所定位置には、ＦＰＣ４７に対する可動側の上極接点５４が設けられている。
【００４１　】
上記第二スペーサシート４６は、例えばポリエチレンテレフタレート（ＰＥＴ）又はポリエチレンナフタレート（ＰＥＮ）からなる合成樹脂製のシート部材であって、メンブレンシート４５の変形防止及びメンブレンシート４５のストローク寸法確保を実現するために設けられている。第二スペーサシート４６の表裏面には、接着層４９がそれぞれ設けられており、メンブレンシート４５とＦＰＣ４７とを各々上記表裏面に固定することができるようになっている。このような第二スペーサシート４６は、上極接点５４の位置に対応して形成される貫通孔５５を有している。
【００４２　】
上記ＦＰＣ４７は、回路体であって、所望のパターンに配索される図示しないスイッチ回路を有する回路体本体５６と、外部との電気的な接続に用いられる図示しない外部接続手段とを備えて構成されている。回路体本体５６の第二スペーサシート４６側には、上記上極接点５４が接触する固定側の下極接点５７が設けられている。図示しない外部接続手段は、回路体本体５６から引き出される結線回路部と、その結線回路部の先端部分に設けられる例えばエッジコネクタ端子とを備えて構成されている。尚、ＦＰＣ４７に替えて既知のプリント基板（ＰＣＢ）を用いてもよいものとする。
【００４３　】
上記ベースプレート４８は、例えば合成樹脂製の硬質の板部材であって、その表面には、接着層４９を介在させた状態でＦＰＣ４７が固定されるようになっている。尚、本形態においては、ベースプレート４８をポリドームスイッチ４１の構成に含ませているが、これを構成から外した場合には、ポリドームスイッチ４１に対する被取り付け部材がベースプレート４８に相当するものとする。
【００４４　】
上記構成において、ポリドームスイッチ４１は次のように組み立てられる。先ず、第二凸部４３を予め所定位置に配設した表面シート４２をスペーサシート４４の表面に接着固定する。次いで、メンブレンシート４５を第二スペーサシート４６の表面に接着固定するとともに、ＦＰＣ４７を第二スペーサシート４６の裏面に接着固定する。続いて、スペーサシート４４の裏面にメンブレンシート４５、第二スペーサシート４６、及びＦＰＣ４７で構成されるスイッチ部分を接着固定し、これらをＦＰＣ４７側からベースプレート４８に接着固定することにより組み立てられる。そして、このように組み立てられたポリドームスイッチ４１は、次のように作用する（作用図面は省略する）。
【００４５　】
スイッチ操作前となる突出部５０に荷重が掛かっていない状態では、突出部５０自体の保形性によって、その形状が保持された状態にある。そして、スイッチ操作（盲目操作を含む）がなされ、スイッチ操作をする者の指５８により第二凸部４３及び突出部５０が矢線方向に押圧されると（下方向に荷重を掛ける押圧操作）、突出部５０が指５８の押圧による荷重に抗しながら、ある荷重を境にして座屈し反転する（この時、クリック感が生じる）。
【００４６　】
突出部５０が座屈、反転すると下方向の荷重が減少し、突出部５０の押圧がスムーズに進行する。反転した突出部５０は更に押し込まれてスペーサシート４４の貫通孔５３に挿通され、メンブレンシート４５を押圧する。メンブレンシート４５が押圧されると撓みが生じ、そのメンブレンシート４５に設けられた上極接点５４が第二スペーサシート４６の貫通孔５５を介してＦＰＣ４７の下極接点５７に接触する。
【００４７　】
これにより、ＦＰＣ４７の図示しないスイッチ回路が導通状態となり、ポリドームスイッチ４１はＯＮされる。一方、指５８が離され下方向の荷重が解除されると、メンブレンシート４５及び突出部５０はもとの状態に復帰する。そして、これに伴って導通状態が解除され、ポリドームスイッチ４１はＯＦＦされる。
【００４８　】
以上、ポリドームスイッチ４１は、シンボル表示５１を囲んで形成された第二凸部４３を有することから、盲目操作であっても、突出部５０のセンター位置を容易に押圧することができる。また、どのスイッチを操作しようとしているのかを容易に理解することができる。従って、盲目操作でのスムーズ且つ確実なスイッチ操作と誤操作防止とを図ることができる。
【００４９　】
続いて更に、図４及び図６を参照しながら本発明によるスイッチの他の一実施の形態を説明する。図６は図４のＤ−Ｄ線断面図（第二の例）である。尚、上述の構成部材と基本的に同じ部材に関しては同一の符号を付してその詳細な説明を省略するものとする。
【００５０　】
図４及び図６において、ポリドームスイッチ４１′（特許請求の範囲に記載したスイッチに相当）は、表シート４２と、第二凸部４３′と、スペーサシート４４と、メンブレンシート４５と、第二スペーサシート４６と、ＦＰＣ４７と、ベースプレート４８と、複数の接着層４９とを備えて構成されている。すなわち、ポリドームスイッチ４１′は、図示のように、上述のポリドームスイッチ４１（図５参照）に対して第二凸部４３′のみが異なったスイッチとして形成されている。
【００５１　】
本形態において、第二凸部４３′は、例えばアクリル、ウレタン等の透明且つ柔軟性を有する樹脂材で形成されている。また、第二凸部４３′は、シンボル表示５１を囲み且つ適宜高さを有するように突出形成されている（丸形に囲まれた立体物のように形成される）。このような第二凸部４３′の突出先端面には、凸面５９が形成されている（凸面５９の形成は任意であるものとする。凸面５９を形成することでセンター位置の押圧がより一層し易くなる）。尚、ポリドームスイッチ４１′の作用及び効果は、上述のポリドームスイッチ４１と同じになるのは言うまでもない。
【００５２　】
その他、本発明は本発明の主旨を変えない範囲で種々変更実施可能なことは勿論である。尚、上述では表シートに反転可能なドーム状の突出部（押圧部）を形成したドームスイッチを本発明に係るスイッチとして説明しているが、突出部のないフラットな押圧部を有するメンブレンスイッチや、クリックシートスイッチ、シートスイッチ、フィルムスイッチ、ラバー（シート）スイッチでもよいものとする。
【００５３　】
【発明の効果】
以上説明したように、請求項１に記載された本発明によれば、第一凸部を突出形成することにより、盲目操作でのスムーズ且つ確実なスイッチ操作と誤操作防止とを図ることができるという効果を奏する。
【００５４　】
請求項２に記載された本発明によれば、第二凸部を突出形成することにより、盲目操作でのスムーズ且つ確実なスイッチ操作と誤操作防止とを図ることができるという効果を奏する。
【００５５　】
請求項３に記載された本発明によれば、第二凸部の凹面又は凸面により、より一層スムーズ且つ確実なスイッチ操作と誤操作防止とを図ることができるという効果を奏する。
【図面の簡単な説明】
【図１】本発明によるスイッチの一実施の形態を示す図であり、（ａ）は平面図、（ｂ）はＡ−Ａ線断面図である。
【図２】図１のスイッチの変形例であり、（ａ）は平面図、（ｂ）はＢ−Ｂ線断面図である。
【図３】図１のスイッチの他の変形例であり、（ａ）は平面図、（ｂ）はＣ−Ｃ線断面図である。
【図４】本発明によるスイッチの他の一実施の形態を示す平面図である。
【図５】図４のＤ−Ｄ線断面図（第一の例）である。
【図６】図４のＤ−Ｄ線断面図（第二の例）である。
【図７】従来例のスイッチを示す断面図である。
【図８】図７のスイッチのスイッチ操作時における状態を示す断面図である。
【符号の説明】
２１、２１′、２１″　ポリドームスイッチ（スイッチ）
２２　表シート
２３、２３′、２３″　第一凸部
２４　スペーサシート
２５　ＦＰＣ
２６　ベースプレート
２７　接着層
２８　突出部（押圧部）
２９　上極接点
３０、３０′、３０″　シンボル表示
３１　貫通孔
３２　回路体本体
３３　下極接点
３４　指
４１、４１′　ポリドームスイッチ（スイッチ）
４２　表シート
４３、４３′　第二凸部
４４　スペーサシート
４５　メンブレンシート
４６　第二スペーサシート
４７　ＦＰＣ
４８　ベースプレート
４９　接着層
５０　突出部（押圧部）
５１　シンボル表示
５２　凹面
５３、５５　貫通孔
５４　上極接点
５６　回路体本体
５７　下極接点
５８　指
５９　凸面
【図１】
2004039266.tif 000003
【図２】
2004039266.tif 000004
【図３】
2004039266.tif 000005
【図４】
2004039266.tif 000006
【図５】
2004039266.tif 000007
【図６】
2004039266.tif 000008
【図７】
2004039266.tif 000009
【図８】
2004039266.tif 000010